(57)【要約】【課題】  運転効率を向上させることができる無停電電源装置を提供することにある。【解決手段】  盤に収納された無停電電源装置１であって、負荷設備ＬＤに定電圧定周波数の交流電力を供給するインバータ７と、無停電電源装置１の出力電流を検出する変流器２１と、盤内を冷却する冷却ファン１８と、冷却ファン１８に可変電圧可変周波数の交流電力を供給する冷却ファン用インバータ２７と、変流器２１により検出された出力電流が所定値以下の場合、冷却ファン用インバータ２７を間欠運転させる制御手段２６とを備えている。【選択図】      図１
2010074941.tif 000002
【特許請求の範囲】
【請求項１】
収納スペースに収納された無停電電源装置であって、
直流電力を、負荷に供給するための定電圧定周波数の交流電力に変換するインバータと、
前記無停電電源装置から出力される交流電流を検出する電流検出手段と、
前記収納スペースを冷却する冷却ファンと、
前記冷却ファンを駆動するために、前記直流電力を可変電圧可変周波数の交流電力に変換する冷却ファン用インバータと、
前記電流検出手段により検出された電流量が所定値以下の場合、冷却ファン用インバータを間欠運転させる制御をする制御手段と
を備えたことを特徴とする無停電電源装置。
【請求項２】
前記制御手段は、前記電流検出手段により検出された電流量が前記所定値より大きい場合、前記電流検出手段により検出された電流量に応じて、前記冷却ファン用インバータから出力される交流電力を変化させること
を特徴とする請求項１に記載の無停電電源装置。
【請求項３】
前記インバータに供給するために、交流電源から供給された交流電力を直流電力に変換するコンバータ
を備えたことを特徴とする請求項１又は請求項２に記載の無停電電源装置。
【請求項４】
前記インバータに供給するために直流電力を供給する蓄電池
を備えたことを特徴とする請求項１から請求項３のいずれか１項に記載の無停電電源装置。
【請求項５】
交流電力を、前記インバータを介さない経路でバイパスして前記負荷に供給するためのバイパス電源と、
前記負荷に供給するための交流電力を、前記インバータから出力される交流電力から前記バイパス電源から供給される交流電力に切り替える切替手段と
を備えたことを特徴とする請求項１から請求項４のいずれか１項に記載の無停電電源装置。
【請求項６】
前記冷却ファン用インバータの異常時に、前記インバータから出力される交流電力を前記冷却ファンに供給する経路を形成する経路形成手段
を備えたことを特徴とする請求項１から請求項５のいずれか１項に記載の無停電電源装置。
【請求項７】
前記制御手段は、前記冷却ファンの運転周波数を所定値以下にさせないように、前記冷却ファン用インバータから出力される交流電力を制御すること
を特徴とする請求項１から請求項６のいずれか１項に記載の無停電電源装置。
【発明の詳細な説明】
【技術分野】
【０００１】
本発明は、無停電電源装置に関する。
【背景技術】
【０００２】
一般的に、交流電力をコンバータにより直流電力に変換し、この直流電力をインバータにより交流電力に変換して、負荷に供給する無停電電源装置がある。また、このような無停電電源装置が盤内に収納され、冷却ファンによる強制風冷を行う無停電電源装置（ＵＰＳ：uninterruptible power supply）が知られている（例えば、非特許文献１参照）。
【非特許文献１】MITSUBISHI 9700 Series UPS、Schematic Diagram List、[online]、MITSUBISHI ELECTRIC POWER PRODUCTS, INC.、[２００８年９月１日検索]、インターネット＜URL: http://www.meppi.com/Products/UninterruptiblePowerSupplies/Products/9700/9700_150kVA_Drawing.pdf＞
【発明の開示】
【発明が解決しようとする課題】
【０００３】
しかしながら、先行技術文献の無停電電源装置では、以下のような問題がある。
【０００４】
この無停電原装置は、冷却ファンを無負荷時でも通常と変わらない定格（最高回転数）で運転している。また、インバータは、交流電力を負荷設備へ供給するとともに、冷却ファンの駆動のためにも交流電力を供給する。このため、インバータは、その負荷設備容量と冷却ファンの容量とを加算した出力容量が必要になる。これらのことは、無停電電源装置の運転効率を低下させる。
【０００５】
そこで、本発明の目的は、運転効率を向上させることができる無停電電源装置を提供することにある。
【課題を解決するための手段】
【０００６】
本発明の観点に従った無停電電源装置は、収納スペースに収納された無停電電源装置であって、直流電力を、負荷に供給するための定電圧定周波数の交流電力に変換するインバータと、前記無停電電源装置から出力される交流電流を検出する電流検出手段と、前記収納スペースを冷却する冷却ファンと、前記冷却ファンを駆動するために、前記直流電力を可変電圧可変周波数の交流電力に変換する冷却ファン用インバータと、前記電流検出手段により検出された電流量が所定値以下の場合、冷却ファン用インバータを間欠運転させる制御をする制御手段とを備えている。
【発明の効果】
【０００７】
本発明によれば、運転効率を向上させることができる無停電電源装置を提供することができる。
【発明を実施するための最良の形態】
【０００８】
以下、図面を参照して、本発明の各実施形態を説明する。
【０００９】
（第１の実施形態）
図１は、本発明の第１の実施形態に係る無停電電源装置１を適用した構成を示す構成図である。なお、以降の図における同一部分には同一符号を付してその詳しい説明を省略し、異なる部分について主に述べる。以降の実施形態も同様にして重複した説明を省略する。
【００１０】
無停電電源装置１は、コンタクタ２と、ヒューズ３と、交流リアクトル４と、コンバータ５と、電解コンデンサ６と、インバータ７と、変圧器８と、コンデンサ９と、コンタクタ１０と、サイリスタスイッチ１２と、コンタクタ１３と、コンタクタ１５と、ヒューズ１６と、冷却ファン１８と、変流器２１と、制御回路２６と、冷却ファン用インバータ２７と、信号発生回路３２と、設定器３７とを備えている。無停電電源装置１は、コンバータ運転指令回路２４及びインバータ運転指令回路２５から制御信号を受信するように接続されている。無停電電源装置１は、入力側に、交流電源Ｐ１及びバイパス電源Ｐ２を接続している。無停電電源装置１は、交流電源Ｐ１の非常時のために蓄電池Ｐ３を接続している。無停電電源装置１は、出力側に、負荷設備ＬＤを接続している。
【００１１】
無停電電源装置１は、盤形式の装置である。無停電電源装置１の本体部分は、盤の内部に収納されている。
【００１２】
交流電源Ｐ１は、三相３線式の交流電源である。交流電源Ｐ１は、通常時に、無停電電源装置１に交流電力を供給するための電源である。交流電源Ｐ１は、例えば商用電源又は自家用発電機である。
【００１３】
バイパス電源Ｐ２は、三相３線式の交流電源である。バイパス電源Ｐ２は、無停電電源装置１と単相３線で接続されている。バイパス電源Ｐ２は、交流電源Ｐ１から交流電力が供給されていない場合に、無停電電源装置１に交流電力を供給するための電源である。交流電源Ｐ１から交流電力が供給されていない場合とは、例えば、交流電源Ｐ１の故障時や無停電電源装置１のメンテナンス時などである。交流電源Ｐ２は、例えば商用電源又は自家用発電機である。
【００１４】
蓄電池Ｐ３は、直流電源である。蓄電池Ｐ３は、交流電源Ｐ１の停電時に、無停電電源装置１に直流電力を供給するための電源である。
【００１５】
負荷設備ＬＤは、無停電電源装置１と単相３線で接続されている。負荷設備ＬＤは、無停電電源装置１から交流電力を受電する。
【００１６】
コンバータ５は、交流電源Ｐ１から供給された交流電力を直流電力に変換する。コンバータ５は、変換した直流電力をインバータ７及び冷却ファン用インバータ２７に供給する。コンバータ５は、交流電源Ｐ１から、コンタクタ２、ヒューズ３、及び交流リアクトル４を順次に介して交流電力が供給される。コンバータ５は、コンバータ運転指令回路２４から運転指令又は停止指令などの制御信号を受信する。これらの制御信号に応じて、コンバータ５は、運転又は停止をする。
【００１７】
コンタクタ２は、コンバータ運転指令回路２４からの制御信号により、回路の接続又は切断をする。コンタクタ２を入れると、交流電源Ｐ１からコンバータ５に交流電力が供給される。コンタクタ２を切ると、交流電源Ｐ１からコンバータ５に交流電力が供給されなくなる。
【００１８】
ヒューズ３は、交流電源Ｐ１から供給される交流電流に対する保護のために設けられている。
【００１９】
交流リアクトル４は、交流電源Ｐ１からの交流電力の波形を整形する。即ち、交流リアクトル４は、フィルタリアクトルである。
【００２０】
インバータ７は、直流電力を定電圧定周波数の単相の交流電力に変換する。即ち、インバータ７は、ＣＶＣＦ（constant voltage constant frequency）インバータである。インバータ７は、変換した交流電力を変圧器８に供給する。インバータ７は、直流電力を負荷設備ＬＤに供給するための交流電力に変換するための装置である。インバータ７は、コンバータ５から直流電力が供給される。インバータ７は、蓄電池Ｐ３から、コンタクタ１５及びヒューズ１６を介して直流電力が供給される。インバータ７は、インバータ運転指令回路２５から運転指令又は停止指令などの制御信号を受信する。これらの制御信号に応じて、インバータ７は、運転又は停止をする。
【００２１】
コンタクタ１５は、蓄電池Ｐ３からの直流電力の供給を受けるための回路の接続又は切断をする。コンタクタ１５を入れると、蓄電池Ｐ３直流電力が供給される。コンタクタ１５を切ると、蓄電池Ｐ３から直流電力が供給されなくなる。コンタクタ１５は、交流電源Ｐ１の停電時に入れられる。
【００２２】
ヒューズ１６は、蓄電池Ｐ３から供給される直流電流に対する保護のために、設けられている。
【００２３】
電解コンデンサ６は、インバータ７又は冷却ファン用インバータ２７に供給される直流電力を平滑するための平滑コンデンサである。
【００２４】
変圧器８は、昇圧変圧器（ステップアップトランス）である。変圧器８は、インバータ７から供給された交流電力を昇圧する。変圧器８は、昇圧した交流電力を、コンタクタ１０を介して、負荷設備ＬＤに供給する。即ち、変圧器８から出力された交流電力は、無停電電源装置１としての出力になる。
【００２５】
コンデンサ９は、変圧器８から出力された交流電力の波形を整形する。即ち、コンデンサ９は、フィルタコンデンサである。
【００２６】
コンタクタ１０は、変圧器８からの交流電力を出力する回路の接続又は切断をする。コンタクタ１０を入れると、変圧器８からの交流電力を出力する。コンタクタ１０を切ると、変圧器８からの交流電力が出力されなくなる。コンタクタ１０は、バイパス電源Ｐ２から交流電力を無停電電源装置１として出力するときに、切られる。
【００２７】
冷却ファン用インバータ２７は、直流電力を可変電圧可変周波数の交流電力に変換する。即ち、冷却ファン用インバータ２７は、ＶＶＶＦ（variable voltage variable frequency）インバータである。冷却ファン用インバータ２７の出力電圧Ｖと出力周波数Ｆの関係は、次式のようになる。
【００２８】
Ｖ／Ｆ  ∝  一定
冷却ファン用インバータ２７は、変換した交流電力を冷却ファン１８に供給する。冷却ファン用インバータ２７の入力側とインバータ７の入力側は、電気的に接続されている。従って、冷却ファン用インバータ２７は、インバータ７と同様にして、直流電力が供給される。冷却ファン用インバータ２７は、制御回路２６の制御により、交流電力を出力する。
【００２９】
冷却ファン１８は、冷却ファン用インバータ２７により変換された交流電力により駆動する。冷却ファン１８の回転数は、冷却ファン用インバータ２７の出力周波数に比例する。冷却ファン１８が駆動すると、無停電電源装置１が収納された盤内（収納スペース）が冷却される。
【００３０】
サイリスタスイッチ１２は、バイパス電源Ｐ２と接続される無停電電源装置１の入力側と負荷設備ＬＤと接続される無停電電源装置１の出力側との回路の間に設けられている。サイリスタスイッチ１２は、無停電電源装置１としての交流電力の出力を、インバータ７から出力された交流電力からバイパス電源Ｐ２から供給された交流電力に高速で切り替えるための半導体スイッチである。
【００３１】
コンタクタ１３は、サイリスタスイッチ１２と並列に接続されている。コンタクタ１３は、バイパス電源Ｐ２から供給された交流電力を無停電電源装置１の出力として維持するために設けられている。
【００３２】
変流器２１は、無停電電源装置１の出力電流を検出するために設けられている。変流器２１は、検出した電流を電流帰還信号として、制御回路２６及び信号発生回路３２に入力する。
【００３３】
制御回路２６は、冷却ファン用インバータ２７に運転指令又は停止指令を出力する。制御回路２６は、変流器２１から受信した電流帰還信号及び信号発生回路３２から受信した運転周波数指令信号に基づいて、冷却ファン用インバータ２７を制御する。
【００３４】
信号発生回路３２は、変流器２１から電流帰還信号を受信する。信号発生回路３２は、設定器３７から設定値を受信する。信号発生回路３２は、電流帰還信号及び設定値に基づいて、運転周波数指令信号を生成する。信号発生回路３２は、生成した運転周波数指令信号を制御回路２６に送信する。
【００３５】
設定器３７は、信号発生回路３２で、変流器２１から受信した電流帰還信号と比較するための設定値を設定する。設定器３７は、任意の設定値を設定することができる。
【００３６】
次に、信号発生回路３２の動作について説明する。
【００３７】
信号発生回路３２は、設定器３７に設定された設定値を受信する。
【００３８】
信号発生回路３２は、変流器２１から受信した電流帰還信号と設定器３７から受信した設定値を比較する。
【００３９】
電流帰還信号が設定値よりも低い場合、信号発生回路３２は、冷却ファン用インバータ２７を間欠運転させる運転周波数指令信号を生成する。ここで、間欠運転とは、冷却ファン用インバータ２７に、運転と停止を繰り返しさせる運転である。信号発生回路３２が間欠運転させる運転周波数指令信号を制御回路２６に出力すると、制御回路２６は、冷却ファン用インバータ２７を間欠運転させる制御をする。
【００４０】
電流帰還信号が設定値よりも高い場合、信号発生回路３２は、予め設定された時間後に電流帰還信号に到達する傾斜信号の運転周波数指令信号を生成する。信号発生回路３２が傾斜信号の運転周波数指令信号を制御回路２６に出力すると、制御回路２６は、冷却ファン用インバータ２７の出力周波数を徐々に上昇させる制御をする。
【００４１】
次に、制御回路２６の動作について説明する。
【００４２】
制御回路２６は、コンバータ運転指令回路２４から運転指令を受信し、変流器２１から受信した電流帰還信号が所定の電流値を超えると、冷却ファン用インバータ２７に運転指令を出力する。これにより、冷却ファン用インバータ２７は、運転を開始する。
【００４３】
制御回路２６は、冷却ファン用インバータ２７の運転を開始すると、冷却ファン用インバータ２７を制御するための出力電圧・周波数の発信指令を生成する。制御回路２６は、信号発生回路３２から受信した運転周波数指令信号に基づいて、出力電圧・周波数の発信指令を生成する。また、出力電圧・周波数の発信指令は、変流器２１から受信した電流帰還信号に比例するように生成される。
【００４４】
制御回路２６は、生成した発信指令を冷却ファン用インバータ２７に出力する。この発信指令により、制御回路２６は、冷却ファン用インバータ２７から出力される交流電力を制御する。
【００４５】
本実施形態によれば、以下の作用効果を得ることができる。
【００４６】
無停電電源装置１は、冷却ファン１８の駆動電源として専用にＶＶＶＦインバータである冷却ファン用インバータ２７を設けている。これにより、負荷設備ＬＤに供給するためのインバータ７の出力容量は、負荷設備ＬＤの容量に加えて、冷却ファン１８の容量を満たす必要はない。これにより、インバータ７は、より負荷設備ＬＤに適した出力容量を選択することができる。
【００４７】
また、制御回路２６は、無停電電源装置１の出力電流検出用の変流器２１の電流帰還信号に比例するように、インバータ２７を制御するための出力電圧・周波数の発信指令を生成する。この発信指令により、冷却ファン用インバータ２７は、制御される。このため、無停電電源装置１の出力電流が少ないときは、冷却ファン１８の運転周波数も低くなる。即ち、冷却ファン１８の回転数は、低速になる。冷却ファン１８の消費電力は、回転数の３乗に比例する。よって、冷却ファン１８の省電力運転ができる。その結果、無停電電源装置１の消費電力が低減することができる。従って、無停電電源装置１は、効率の高い運転をすることができる。
【００４８】
さらに、信号発生回路３２を設けることにより、電流帰還信号が設定値よりも低い場合、冷却ファン用インバータ２７を間欠運転させることができる。一方、電流帰還信号が設定値よりも高い場合、冷却ファン用インバータ２７の出力を徐々に上昇させることができる。
【００４９】
例えば、無停電電源装置１の起動時において、インバータ７が停止状態で、コンバータ５のみ起動している状態では、無停電電源装置１の出力電流は、「０」である。このため、無停電電源装置１の発生熱量は少ない。このような状態では、盤内をほとんど冷却する必要がない。よって、このような状態の場合、冷却ファン１８は、停止又は微動でよい。このため、信号発生回路３２により、冷却ファン１８は、間欠運転となる。無停電電源装置１は、インバータ７が起動し、無停電電源装置１の出力電流が増加するに従い、冷却ファン１８の回転数は比例して増加する。このように、無停電電源装置１は、定格容量より負荷容量が少ない時は、定格回転数まで上げないため、消費電力を低減することができる。
【００５０】
また、冷却ファン１８の寿命は、ほぼ定格回転数×時間で決まる。このため、冷却ファン１８の回転数を、必要に応じて低減させることで、その寿命（時間）を延ばすことができる。
【００５１】
さらに、信号発生回路３２を設けることで、冷却ファン用インバータ２７の出力周波数により、冷却ファン１８は、ソフトスタート又は間欠運転を行う。これにより、冷却ファン１８は、より寿命を延ばすことができる。
【００５２】
（第２の実施形態）
図２は、本発明の第２の実施形態に係る無停電電源装置１Ａを適用した構成を示す構成図である。
【００５３】
無停電電源装置１Ａは、図１に示す第１の実施形態に係る無停電電源装置１において、リミッタ指令回路２９を追加した構成である。その他の点は、無停電電源装置１と同様の構成である。
【００５４】
リミッタ指令回路２９は、変流器２１の電流帰還信号に関係なく、冷却ファン用インバータ２７の出力周波数を少なくとも最低限の出力周波数に維持するための回路である。即ち、リミッタ指令回路２９は、無停電電源装置１Ａから出力される電流量に関係なく、冷却ファン用インバータ２７の出力周波数を、常に最低限の出力周波数以上にする。リミッタ指令回路２９は、最低限の出力周波数を任意に設定することができる。
【００５５】
リミッタ指令回路２９は、信号発生回路３２にリミッタ指令を出力する。信号発生回路３２は、このリミッタ指令に基づいて、運転周波数指令信号を生成する。この運転周波数指令信号により、制御回路２６は、冷却ファン１８の運転周波数が最低限の運転周波数を下回らないように、冷却ファン用インバータ２７を制御する。これにより、例えば無負荷時であっても、冷却ファン１８は、リミッタ指令回路２９で設定された設定値以上の回転数で回転する。
【００５６】
本実施形態によれば、第１の実施形態による作用効果に加え、以下の作用効果を得ることができる。
【００５７】
リッミタ指令回路２９を設けることにより、無停電電源装置１Ａの出力電流が少ない場合であっても、冷却ファン用インバータ２７は、少なくとも最低限の出力周波数を維持することができる。これにより、無停電電源装置１Ａは、冷却ファン１８の回転数を常に所定の回転数以上に維持することができる。
【００５８】
従って、無停電電源装置１Ａは、冷却ファン１８を常に所定の回転数以上で回転させることにより、盤内の冷却不足による故障を防止することができる。これにより、無停電電源装置１Ａの信頼性を向上させることができる。
【００５９】
（第３の実施形態）
図３は、本発明の第３の実施形態に係る無停電電源装置１Ｂを適用した構成を示す構成図である。
【００６０】
無停電電源装置１Ｂは、図１に示す第１の実施形態に係る無停電電源装置１において、制御回路２６の代わりに制御回路２６Ｂを設け、インバータ７の出力側と冷却ファン１８の電源入力とを接続する電気経路を追加し、コンタクタ３３，３４を追加した構成である。その他の点は、無停電電源装置１と同様の構成である。
【００６１】
コンタクタ３３は、冷却ファン用インバータ２７の出力側と冷却ファン１８の電源入力とを接続する電気経路に挿入されている。コンタクタ３３は、制御回路２６Ｂからの制御信号により、回路の接続又は切断をする。コンタクタ３３を入れると、冷却ファン用インバータ２７から冷却ファン１８に交流電力が供給される。コンタクタ３３を切ると、冷却ファン用インバータ２７から冷却ファン１８に交流電力が供給されなくなる。通常時は、コンタクタ３３は、入れられている。冷却ファン用インバータ２７の故障時等に、コンタクタ３３は、切られる。
【００６２】
コンタクタ３４は、インバータ７の出力側と冷却ファン１８の電源入力とを接続する電気経路に挿入されている。コンタクタ３４は、制御回路２６Ｂからの制御信号により、回路の接続又は切断をする。コンタクタ３４を入れると、インバータ７から冷却ファン１８に交流電力が供給される。コンタクタ３４を切ると、インバータ７から冷却ファン１８に交流電力が供給されなくなる。通常時は、コンタクタ３４は、切られている。冷却ファン用インバータ２７の故障時等に、コンタクタ３４は、入れられる。
【００６３】
制御回路２６Ｂは、第１の実施形態の制御回路２６の機能に、コンタクタ３３，３４を制御する機能を追加している。その他の点は、制御回路２６と同様の構成である。
【００６４】
制御回路２６Ｂは、冷却ファン用インバータ２７の故障を検出すると、コンタクタ３３を切り、コンタクタ３４を入れる。これにより、冷却ファン１８は、冷却ファン用インバータ２７からインバータ７に替わって、交流電力の供給を受ける。冷却ファン用インバータ２７の故障の検出は、冷却ファン用インバータ２７からの故障検出信号の受信でもよいし、他の機器からの検出信号により判断してもよい。
【００６５】
本実施形態によれば、第１の実施形態による作用効果に加え、以下の作用効果を得ることができる。
【００６６】
無停電電源装置１Ｂは、冷却ファン用インバータ２７の故障等により、冷却ファン１９へ供給する電源を、冷却ファン用インバータ２７からインバータ７に切り替える構成を追加したものである。これにより、冷却ファン用インバータ２７が故障等により正常に交流電力を出力できない状態であっても、無停電電源装置１Ｂは、インバータ７から出力される交流電力により、冷却ファン１８を継続して駆動することができる。これにより、冷却ファン用インバータ２７が故障等をしても、盤内の冷却不足による故障を防止することができる。これにより、無停電電源装置１Ｂの信頼性を向上させることができる。
【００６７】
（第４の実施形態）
図４は、本発明の第４の実施形態に係る無停電電源装置１Ｃを適用した構成を示す構成図である。
【００６８】
無停電電源装置１Ｃは、図３に示す第３の実施形態に係る無停電電源装置１Ｂにおいて、第２の実施形態のリミッタ指令回路２９と同等の回路を追加した構成である。その他の点は、無停電電源装置１Ｂと同様の構成である。
【００６９】
リミッタ指令回路２９は、変流器２１の電流帰還信号に関係なく、冷却ファン用インバータ２７の出力周波数を少なくとも最低限の出力周波数に維持するための回路である。即ち、リミッタ指令回路２９は、無停電電源装置１Ｃから出力される電流量に関係なく、冷却ファン用インバータ２７の出力周波数を、常に最低限の出力周波数以上にする。リミッタ指令回路２９は、最低限の出力周波数を任意に設定することができる。リミッタ指令回路２９は、制御回路２６Ｂにリミッタ指令を出力する。これにより、制御回路２６Ｂは、冷却ファン１８の運転周波数が最低限の運転周波数を下回らないように、冷却ファン用インバータ２７を制御する。これにより、例えば無負荷時であっても、冷却ファン１８は、リミッタ指令回路２９で設定された設定値以上の回転数で回転する。
【００７０】
本実施形態によれば、第３の実施形態による作用効果に加え、以下の作用効果を得ることができる。
【００７１】
リッミタ指令回路２９を設けることにより、無停電電源装置１Ｃの出力電流が少ない場合であっても、冷却ファン用インバータ２７は、少なくとも最低限の出力周波数を維持することができる。これにより、無停電電源装置１Ｃは、冷却ファン１８の回転数を常に所定の回転数以上に維持することができる。
【００７２】
従って、無停電電源装置１Ｃは、冷却ファン１８を常に所定の回転数以上で回転させることにより、盤内の冷却不足による故障を防止することができる。これにより、無停電電源装置１Ｃの信頼性を向上させることができる。
【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７４】
【図１】本発明の第１の実施形態に係る無停電電源装置を適用した構成を示す構成図。
【図２】本発明の第２の実施形態に係る無停電電源装置を適用した構成を示す構成図。
【図３】本発明の第３の実施形態に係る無停電電源装置を適用した構成を示す構成図。
【図４】本発明の第４の実施形態に係る無停電電源装置を適用した構成を示す構成図。
【符号の説明】
【００７５】
１…無停電電源装置、２…コンタクタ、３…ヒューズ、４…交流リアクトル、５…コンバータ、６…電解コンデンサ、７…インバータ、８…変圧器、９…コンデンサ、１０…コンタクタ、１２…サイリスタスイッチ、１３…コンタクタ、１５…コンタクタ、１６…ヒューズ、１８…冷却ファン、２１…変流器、２４…コンバータ運転指令回路、２５…インバータ運転指令回路、２６…制御回路、２７…冷却ファン用インバータ、３２…信号発生回路、３７…設定器、ＬＤ…負荷設備、Ｐ１…交流電源、Ｐ２…バイパス電源、Ｐ３…蓄電池。
【図１】
2010074941.tif 000003
【図２】
2010074941.tif 000004
【図３】
2010074941.tif 000005
【図４】
2010074941.tif 000006